(57)【要約】【課題】簡単に取り付け，取り外しができる蓋の取付構造を提供する。【解決手段】浴室内の凹部４０の奥面４０ｂに開口された作業口を覆蓋するために凹部４０内に嵌め込まれる蓋１０において、蓋１０の上面１０ｂには貫通孔１１が形成されているとともに、貫通孔１１内に嵌まり込む変形可能なアーム１５を備えた係止部材１３が凹部４０の上側水平面４０ａから垂下状に突設されている。【選択図】図４
2007202866.tif 000002
【特許請求の範囲】
【請求項１】
浴室内の浴槽エプロンやカウンター前板や壁面等に設けられた凹部の奥面に開口された作業口を覆蓋するために該凹部内に嵌め込まれる蓋において、該蓋の上面には貫通孔が形成されているとともに、該貫通孔内に嵌まり込む変形可能な係止部を備えた係止部材が前記凹部の上側水平面から垂下状に突設されていることを特徴とする蓋取付構造。
【発明の詳細な説明】
【技術分野】
【０００１】
本発明は、浴室内の浴槽エプロンやカウンター前板や壁面等に設けられる作業口における蓋の取付構造に関するものである。
【背景技術】
【０００２】
従来、特許文献１に開示されているように、浴槽エプロン側にブラケットを取り付け、開閉蓋の裏側に引っ掛け部材となる係止片を複数設け、係止片をブラケットの突起部に係止して、開閉蓋を着脱可能に浴槽エプロンに取り付ける構造がある。
【特許文献１】特開２００１−１７３３７号公報
【発明の開示】
【発明が解決しようとする課題】
【０００３】
上記特許文献１に開示されているような開閉蓋の取付構造では、係止させるための部材が多く、また、蓋を着脱させる際の作業が複雑となるという問題点があった。
【課題を解決するための手段】
【０００４】
本発明は上記従来の問題点に鑑み案出したものであって、簡単に蓋を着脱させることのできる蓋取付構造を提供せんとするものであり、その請求項１は、浴室内の浴槽エプロンやカウンター前板や壁面等に設けられた凹部の奥面に開口された作業口を覆蓋するために該凹部内に嵌め込まれる蓋において、該蓋の上面には貫通孔が形成されているとともに、該貫通孔内に嵌まり込む変形可能な係止部を備えた係止部材が前記凹部の上側水平面から垂下状に突設されていることである。
【発明の効果】
【０００５】
本発明は、浴室内の浴槽エプロンやカウンター前板や壁面等に設けられた凹部の奥面に開口された作業口を覆蓋するために該凹部内に嵌め込まれる蓋において、該蓋の上面には貫通孔が形成されているとともに、該貫通孔内に嵌まり込む変形可能な係止部を備えた係止部材が前記凹部の上側水平面から垂下状に突設されていることにより、蓋を凹部内で上に押し上げることにより、凹部の上側水平面から垂下状に突設されている係止部材が蓋の上面の貫通孔内に嵌まり込み、簡単に蓋を凹部内に嵌め込んで取り付けることができ、また、蓋を取り外す際には、蓋を下方側へ引き下げることで、簡単に貫通孔から係止部材を抜き取って蓋を外すことができるものとなる。
【実施例】
【０００６】
以下、本発明の実施例を図面に基づいて説明する。
図１は、防水パンの斜視構成図であり、浴室の防水パン１は、浴槽２と洗い場３が形成され、浴槽２の洗い場側にはエプロン４が垂設されている。また、浴槽２の上面外周と洗い場３の外周には、一体状に水切片５，５，５が立設されている。
前記エプロン４には、左右側に作業口６，６が開口されており、この作業口６は、エプロン４の凹部４０に開口されたものとなっている。また、この左右の作業口６の洗い場３側には、配管を立ち上げるための配管立上用孔７，７が貫通形成されている。
また、図中８は、排水枡の上面に覆設された排水目皿である。
【０００７】
図２に要部を拡大して分解図で示すように、エプロン４に浴槽２側へ凹み状に形成された凹部４０は、上側水平面４０ａの奥側に垂直状に奥面４０ｂが形成され、この奥面４０ｂの下端には下側水平面４０ｃが形成され、この凹部４０の奥面４０ｂに前記作業口６が開口されている。なお、作業口６の外周側には複数のビス孔６ａ，６ａが形成されている。
この作業口６には洗い場側から内蓋９が覆設され、内蓋９で作業口６が止水されるものであり、内蓋９の外周側に複数形成されているビス孔９ａ，９ａ内にビスを通し、ビスをビス孔６ａ，６ａに締め付けて、内蓋９が作業口６に取り付けられるものである。この内蓋９の外側に外蓋１０が凹部４０内に嵌め込み状に取り付けられる。
【０００８】
外蓋１０は、内蓋９側が開放された箱状に形成されており、前面１０ａの上端に水平状に上面１０ｂが形成され、前面１０ａの下端には水平状に下面１０ｃが形成され、また前面１０ａの左右側方には側面１０ｄが形成されたものであり、上面１０ｂには間隔をおいて、例えば３個の貫通孔１１，１１，１１が上下に貫通形成されている。
一方、前記凹部４０の上側水平面４０ａには、垂下状に係止部材１３，１３，１３が３個突設されており、この各係止部材１３が外蓋１０の各貫通孔１１内に嵌まり込むものである。
【０００９】
図３は、内蓋９および外蓋１０を作業口６に取り付けた状態の縦断面構成図である。
外蓋１０を凹部４０内に嵌め込んだ状態では、外蓋１０の上面１０ｂは凹部４０の上側水平面４０ａの下側に嵌まり込み、また、外蓋１０の下面１０ｃは凹部４０の下側水平面４０ｃの上に重ね合わされて嵌め込まれるものである。
下側水平面４０ｃには、図３に示すように、上方へ突出して突爪４０ｄを形成させておき、外蓋１０の下面１０ｃには、この突爪４０ｄが嵌まり込む凹溝を形成させておけば、突爪４０ｄと凹溝との係合で、外蓋１０の下面１０ｃを凹部４０の下側水平面４０ｃに着脱可能に係合させることができるものである。
【００１０】
外蓋１０を凹部４０内に嵌め込む前の要部分解拡大図を図４に示すが、凹部４０の上側水平面４０ａには、係止部材１３を止め付ける下孔１２が形成されており、この下孔１２内に下方より係止部材１３のネジ軸部１４を締め込むことで、係止部材１３を上側水平面４０ａに垂下状に固定できるものである。
【００１１】
図５は、係止部材１３の拡大斜視図であり、図６は、凹部４０に固定させた係止部材１３の側面図であり、また図７は、係止部材１３の洗い場側から見た固定状態の正面構成図である。
係止部材１３は、下端に頭部１４ａを有し上方へ延び外周にネジ１４ｂが形成されたネジ軸部１４と、このネジ軸部１４に外嵌される上リング部１５ａ，下リング部１５ｂを有する左右の樹脂製のアーム１５，１５で構成されており、左右にくの字状に屈曲したアーム１５，１５の上端に上リング部１５ａが一体形成され、アーム１５，１５の下端に下リング部１５ｂが一体形成されて、金属製のネジ軸部１４を上リング部１５ａおよび下リング部１５ｂ内にねじ込ませて、ネジ軸部１４に上リング部１５ａと下リング部１５ｂが強固に外嵌されたものである。
【００１２】
このような係止部材１３のネジ軸部１４を凹部の上側水平面４０ａに形成した下孔１２内に下方からねじ込んで、係止部材１３を上側水平面４０ａから垂下状に突設させておけば、外蓋１０を嵌め込む時には、図４および図６に示すように、各係止部材１３と外蓋１０の貫通孔１１を整合させて、外蓋１０を上方へ押し上げることにより、貫通孔１１内に係止部材１３のアーム１５が縮径しながら強固に嵌め込まれ、図７のように、外蓋１０の上面１０ｂが凹部の上側水平面４０ａに当接した状態で、貫通孔１１の下方側にアーム１５が位置して、この状態で強固に外蓋１０は凹部４０内に嵌め込み固定されるものである。
【００１３】
外蓋１０を取り外す際には、外蓋１０の下面１０ｃを先ず凹部４０から洗い場３側へ抜き取り、この状態で外蓋１０を下方側へ引き降ろすと、係止部材１３のアーム１５が縮径して貫通孔１１内を通り、貫通孔１１から係止部材１３を良好に抜脱させて、外蓋１０を取り外すことができるものであり、外蓋１０の取り付けおよび取り外しは極めて簡単な作業で行なえるものとなる。
【００１４】
なお、係止部材１３のアーム１５の数は２個に限らず、くの字状等の弾性を発揮するような形状に複数形成させておくことができるものである。
なお、本例では、浴室のエプロン４の作業口６を覆蓋する外蓋１０の取付構造について例示しているが、浴室内のカウンターなどに開口されている作業口においても、同様な係止部材１３を用いた蓋の取付構造を採用して、簡単に蓋を着脱できるように構成しておくことができる。なお、係止部材１３の係止部は、貫通孔１１を通過する時に縮径すればアームの形状に限るものではない。
【図面の簡単な説明】
【００１５】
【図１】防水パンの斜視構成図である。
【図２】防水パンに形成された作業口を有する凹部内に内蓋と外蓋を取り付ける前の要部分解斜視図である。
【図３】内蓋と外蓋を取り付けた状態の縦断面構成図である。
【図４】外蓋と係止部材の配置状態の要部拡大斜視構成図である。
【図５】係止部材の拡大斜視図である。
【図６】係止部材に対し外蓋を押し上げて取り付ける前の側面構成図である。
【図７】内蓋を取り付けた状態の要部拡大正面構成図である。
【符号の説明】
【００１６】
１  防水パン
２  浴槽
３  洗い場
４  エプロン
６  作業口
６ａ  ビス孔
９  内蓋
９ａ  ビス孔
１０  外蓋
１０ｂ  上面
１１  貫通孔
１２  下孔
１３  係止部材
１４  ネジ軸部
１５  アーム
１５ａ  上リング部
１５ｂ  下リング部
４０  凹部
４０ａ  上側水平面
４０ｂ  奥面
４０ｃ  下側水平面
４０ｄ  突爪
【図１】
2007202866.tif 000003
【図２】
2007202866.tif 000004
【図３】
2007202866.tif 000005
【図４】
2007202866.tif 000006
【図５】
2007202866.tif 000007
【図６】
2007202866.tif 000008
【図７】
2007202866.tif 000009